(57)【要約】【課題】可動演出部の姿勢を安定させて接点部と電極部との接触状態を維持する。【解決手段】外径側レール部５５の曲線部とガイドレール部５６とは曲率中心が共通であり、直線部に沿って移動することにより第１ガイドローラ６３がレール部の一方の面（内径側レール部５４）における直線部と曲線部との接続部５４ａに到達したときに、第２ガイドローラ６４がガイドレール部５６に当接し、外径側レール部５５の曲線部およびガイドレール部５６に沿って上記曲率中心を中心とする回転運動を開始する。【選択図】図９
2014188228.tif 000002
【特許請求の範囲】
【請求項１】
遊技機に備えられる可動演出ユニットであって、
少なくとも２つの直線部と２つの直線部の端部同士を連結する曲線部とを備えたレール部と、
上記曲線部に対して所定の間隔を隔てて対向するように配置されたガイドレール部と、
上記レール部に沿った移動経路を移動する可動演出部とを備え、
上記可動演出部は、
上記レール部の一方の面に当接する第１ガイドローラと、
上記レール部の他方の面に当接する第２ガイドローラおよび駆動ローラとを備え、
上記レール部は、上記移動経路に沿って移動する上記可動演出部と摺動する電気配線部を備え、
上記可動演出部は、上記電気配線部と摺動する摺動接点部と、上記電気配線部および上記摺動接点部を介して供給される電力により駆動される被駆動部とを備えており、
上記駆動ローラは、上記レール部を介して上記第１ガイドローラに対向する位置に配置され、
上記第２ガイドローラは上記第１ガイドローラに対して上記レール部を介して対向する位置よりも上記移動経路に沿った第１方向側に配置されており、
上記ガイドレール部は、上記曲線部における上記他方の面に対向する位置に配置され、かつ上記他方の面と共通の曲率中心を有する形状であり、
上記可動演出部は、上記直線部に沿って上記第１方向に移動することにより上記第１ガイドローラが当該レール部の上記一方の面における直線部と曲線部との接続部に到達したときに、上記第２ガイドローラが上記ガイドレール部に当接し、上記曲線部における上記他方の面および上記ガイドレール部に沿って上記曲率中心を中心とする回転運動を開始することを特徴とする可動演出ユニット。
【請求項２】
上記第１ガイドローラの中心と上記駆動ローラの中心とを通る直線を軸として上記第２ガイドローラに対して線対称な位置に第３ガイドローラが備えられており、
上記可動演出部は、上記直線部に沿って上記第１方向とは反対側の第２方向に移動することにより上記第１ガイドローラが当該レール部の上記一方の面における直線部と曲線部との接続部に到達したときに、上記第３ガイドローラが上記ガイドレール部に当接し、上記曲線部における上記他方の面および上記ガイドレール部に沿って上記曲率中心を中心とする回転運動を開始することを特徴とする請求項１に記載の可動演出ユニット。
【請求項３】
上記被駆動部は、上記電気配線部および上記摺動接点部を介して供給される電力を、当該可動演出部を上記移動経路に沿って移動させるための駆動力に変換する移動駆動部を備えていることを特徴とする請求項１または２に記載の可動演出ユニット。
【請求項４】
上記被駆動部は、上記電気配線部および上記摺動接点部を介して供給される電力によって駆動される発光部材、可動部材、または発光部材と可動部材との組み合わせからなることを特徴とする請求項１から３のいずれか１項に記載の可動演出ユニット。
【請求項５】
上記電気配線部は、上記被駆動部に電力を供給するための電源配線部と、上記被駆動部の動作を制御するための信号を伝達するための通信配線部とを備え、
上記摺動接点部は、上記電源配線部と当接する電源用接点部と、上記通信配線部と当接する通信用接点部とを備えていることを特徴とする請求項１から４のいずれか１項に記載の可動演出ユニット。
【請求項６】
上記レール部は、上記直線部と上記曲線部との組み合わせからなる略矩形形状を有していることを特徴とする請求項１から５のいずれか１項に記載の可動演出ユニット。
【請求項７】
上記駆動ローラは、上記レール部に設けられたラックと噛み合わされるピニオンであることを特徴とする請求項１から６のいずれか１項に記載の可動演出ユニット。
【請求項８】
請求項１から７のいずれか１項に記載の可動演出ユニットとを備えていることを特徴とする遊技機。
【請求項９】
外縁形状が矩形形状である主演出部を備え、上記レール部が上記主演出部の外縁に沿って配置されていることを特徴とする請求項８に記載の遊技機。
【発明の詳細な説明】
【技術分野】
【０００１】
本発明は、パチンコ機等の遊技機に備えられる可動演出ユニット、およびそれを備えた遊技機に関するものである。
【背景技術】
【０００２】
従来、遊技盤に平行な所定の移動経路に沿って移動する可動演出部を備えた可動演出ユニットを有する遊技機が知られている。
【０００３】
例えば、特許文献１には、遊技盤の面方向に沿って回転可能に備えられた回動部を有する遊技機が開示されている。
【０００４】
また、特許文献２には、円形環状のギアモジュールと、上記ギアモジュールに対してアーム部材を介して取り付けられた車（可動演出部）とを備え、上記ギアモジュールを回転させることにより、上記車を上記ギアモジュールが成す円形形状の内側に配置された楕円形の軌道に沿って移動させることが記載されている。
【先行技術文献】
【特許文献】
【０００５】
【特許文献１】特開２００６−０３４３４８号公報（２００６年２月９日公開）
【特許文献２】特開２００９−０２８２０８号公報（２００９年２月１２日公開）
【発明の概要】
【発明が解決しようとする課題】
【０００６】
ところで、遊技機の中には、画像表示装置（例えば液晶表示パネルなど）や回胴ドラム装置（円筒状のドラム部材を回動可能に備えた装置）などの矩形形状の演出部（以下、主演出部と称する）を備えたものがある。
【０００７】
そのような矩形形状の主演出部を有する遊技機に可動演出ユニットを備える場合、演出効果をより高めるために、可動演出部の移動経路を主演出部の周縁部と重畳あるいは近接する位置に設定し、可動演出部の動作と主演出部の動作とを連動させて制御することが考えられる（この構成は本願発明者らが考案した構成であって公知技術ではない）。
【０００８】
しかしながら、特許文献１，２の技術では、可動演出部を円形あるいは楕円形の移動経路に沿って移動させることはできるものの、矩形形状の移動経路に沿って移動させることについては考慮されていない。また、特許文献１，２の技術を用いて可動演出部を矩形形状の移動経路に沿って移動させようとすると、可動演出部が矩形形状の角部に引っ掛かって角部を通過することができない。このため、特許文献１，２の技術では、可動演出部の移動経路を円形または楕円形にせざるを得ず、可動演出部の移動経路が主演出部から離れた位置になってしまうので、主演出部の動作と連動させた高い演出効果を得ることができない。
【０００９】
なお、可動演出部が矩形形状の移動経路に沿って移動しやすいように矩形形状の角部を曲線形状（Ｒ形状）にすることが考えられるが（この構成は本願発明者らが考案した構成であって公知技術ではない）、それによって仮に可動演出部が角部を通過可能になったとしても、直線部と曲線部との接続部において重力の影響等により可動演出部の姿勢が不安定になり、可動演出部を安定して移動させることができない。
【００１０】
本発明は、上記の問題点に鑑みてなされたものであり、その目的は、直線部と曲線部とを有するレール部に沿って移動する可動演出部を備えた遊技機の可動演出ユニットにおいて、可動演出部の移動時の姿勢を安定させることにある。
【課題を解決するための手段】
【００１１】
本発明の可動演出ユニットは、遊技機に備えられる可動演出ユニットであって、少なくとも２つの直線部と２つの直線部の端部同士を連結する曲線部とを備えたレール部と、上記曲線部に対して所定の間隔を隔てて対向するように配置されたガイドレール部と、上記レール部に沿った移動経路を移動する可動演出部とを備え、上記可動演出部は、上記レール部の一方の面に当接する第１ガイドローラと、上記レール部の他方の面に当接する第２ガイドローラおよび駆動ローラとを備え、上記レール部は、上記移動経路に沿って移動する上記可動演出部と摺動する電気配線部を備え、上記可動演出部は、上記電気配線部と摺動する摺動接点部と、上記電気配線部および上記摺動接点部を介して供給される電力により駆動される被駆動部とを備えており、上記駆動ローラは、上記レール部を介して上記第１ガイドローラに対向する位置に配置され、上記第２ガイドローラは上記駆動ローラよりも上記移動経路に沿った第１方向側に配置されており、上記ガイドレール部は、上記曲線部における上記他方の面に対向する位置に配置され、かつ上記他方の面と共通の曲率中心を有する形状であり、上記可動演出部は、上記直線部に沿って上記第１方向に移動することにより上記第１ガイドローラが上記レール部の上記一方の面における直線部と曲線部との接続部に到達したときに、上記第２ガイドローラが上記ガイドレール部に当接し、上記曲線部における上記他方の面および上記ガイドレール部に沿って上記曲率中心を中心とする回転運動を開始することを特徴としている。
【００１２】
上記の構成によれば、可動演出部が直線部に沿って第１方向に移動し、直線部と曲線部との接続部に到達したときに、第２ガイドローラがガイドレール部に当接して曲線部における上記他方の面およびガイドレール部に沿って当該曲線部および当該ガイドレール部の曲率中心を中心とする回転運動を開始する。これにより、可動演出部が直線部と曲線部との間を移動する場合であっても、可動演出部を、上記曲率中心を中心とする円軌道に沿って移動させることができ、可動演出部の移動時の姿勢を安定させることができる。
【００１３】
また、可動演出部の移動時の姿勢を安定させることができるので、摺動接点部の軌跡を一定にすることができ、電気配線部と摺動接点部との接触状態を維持しながら可動演出部を移動させることができる。また、電気配線部と摺動接点部との接触状態を維持するために必要な電気配線部の移動経路に垂直な方向の幅を狭くすることができるので、電気配線部を構成する材料の使用量を低減してコストダウンを図ることができる。
【００１４】
また、上記第１ガイドローラの中心と上記駆動ローラの中心とを通る直線を軸として上記第２ガイドローラに対して線対称な位置に第３ガイドローラが備えられており、上記可動演出部は、上記直線部に沿って上記第１方向とは反対側の第２方向に移動することにより上記第１ガイドローラが当該レール部の上記一方の面における直線部と曲線部との接続部に到達したときに、上記第３ガイドローラが上記ガイドレール部に当接し、上記曲線部における上記他方の面および上記ガイドレール部に沿って上記曲率中心を中心とする回転運動を開始する構成としてもよい。
【００１５】
上記の構成によれば、可動演出部が直線部に沿って第２方向に移動し、直線部と曲線部との接続部に到達したときに、第３ガイドローラがガイドレール部に当接して曲線部における上記他方の面およびガイドレール部に沿って当該曲線部および当該ガイドレール部の曲率中心を中心とする回転運動を開始する。これにより、可動演出部が直線部と曲線部との間を移動する場合であっても、可動演出部を、上記曲率中心を中心とする円軌道に沿って移動させることができ、可動演出部の移動時の姿勢を安定させることができる。
【００１６】
また、上記被駆動部は、上記電気配線部および上記摺動接点部を介して供給される電力を、当該可動演出部を上記移動経路に沿って移動させるための駆動力に変換する移動駆動部を備えている。
【００１７】
上記の構成によれば、可動演出部の移動時の姿勢を安定させて電気配線部と摺動接点部との接触状態を維持しながら可動演出部を移動させることができるので、被駆動部への電力供給を安定させることができ、可動演出部の移動を安定させることができる。
【００１８】
また、上記被駆動部は、上記電気配線部および上記摺動接点部を介して供給される電力によって駆動される発光部材、可動部材、または発光部材と可動部材との組み合わせからなる構成としてもよい。
【００１９】
上記の構成によれば、可動演出部の移動時の姿勢を安定させて電気配線部と摺動接点部との接触状態を維持しながら可動演出部を移動させることができるので、被駆動部への電力供給を安定させることができ、発光部材および／または可動部材の動作を安定させることができる。
【００２０】
また、上記電気配線部は、上記被駆動部に電力を供給するための電源配線部と、上記被駆動部の動作を制御するための信号を伝達するための通信配線部とを備え、上記摺動接点部は、上記電源配線部と当接する電源用接点部と、上記通信配線部と当接する通信用接点部とを備えている構成としてもよい。
【００２１】
また、上記レール部は、上記直線部と上記曲線部との組み合わせからなる略矩形形状を有している構成としてもよい。
【００２２】
上記の構成によれば、可動演出部を略矩形形状の移動経路に沿って安定した姿勢で移動させることができる。
【００２３】
また、上記駆動ローラは、上記レール部に設けられたラックと噛み合わされるピニオンであってもよい。
【００２４】
上記の構成によれば、駆動ローラの回転運動を、可動演出部をレール部に沿って移動させるための運動に変換し、可動演出部をレール部に沿って移動させることができる。
【００２５】
本発明の遊技機は、上記したいずれかの可動演出ユニットを備えていることを特徴としている。
【００２６】
上記の構成によれば、直線部と曲線部との間を移動する場合であっても安定した姿勢で移動することのできる可動演出部を備えた遊技機を実現できる。
【００２７】
また、外縁形状が矩形形状である主演出部を備え、上記レール部が上記主演出部の外縁に沿って配置されている構成としてもよい。
【００２８】
上記の構成によれば、可動演出部を略矩形形状の主演出部の外縁に沿って安定した姿勢で移動させることができる。
【発明の効果】
【００２９】
以上のように、本発明の一態様にかかる可動演出ユニットによれば、可動演出部が直線部と曲線部との間を移動する場合であっても、可動演出部の移動時の姿勢を安定させることができる。
【図面の簡単な説明】
【００３０】
【図１】本発明の一実施形態にかかる可動演出ユニットを備えた遊技機の構成を示す説明図である。
【図２】図１に示した遊技機における制御系の構成を示す説明図である。
【図３】本発明の一実施形態にかかる可動演出ユニットの構成を示す説明図である。
【図４】本発明の一実施形態にかかる可動演出ユニットの構成を示す説明図である。
【図５】図３に示した可動演出ユニットにおける可動演出部とレール部との接続部の構成を示す説明図である。
【図６】図３に示した可動演出ユニットにおける可動演出部とレール部との接続部の構成を示す説明図である。
【図７】図３に示した可動演出ユニットにおける電極部と接点部との当接部の構成を示す説明図である。
【図８】図３に示した可動演出ユニットにおける可動演出部とレール部との接続部の構成を示す説明図である。
【図９】図３に示した可動演出ユニットにおける可動演出部とレール部との接続部の構成を示す説明図である。
【図１０】図３に示した可動演出ユニットにおける電極部と接点部との当接部の構成を示す説明図である。
【図１１】比較例にかかる可動演出ユニットにおける電極部と接点部との当接部の構成を示す説明図である。
【図１２】図３に示した可動演出ユニットにおける可動演出部とレール部との接続部の構成を示す説明図である。
【図１３】図３に示した可動演出ユニットにおける電極部と接点部との当接部の構成を示す説明図である。
【図１４】図３に示した可動演出ユニットにおける可動演出部とレール部との接続部の構成を示す説明図である。
【図１５】図３に示した可動演出ユニットにおける可動演出部とレール部との接続部の構成を示す説明図である。
【図１６】図３に示した可動演出ユニットにおける電極部と接点部との当接部の構成を示す説明図である。
【発明を実施するための形態】
【００３１】
本発明の一実施形態について説明する。
【００３２】
（１−１．パチンコ機１の全体構成）
図１は本実施形態にかかる遊技機としてのパチンコ機１の構成を示す説明図であり、（ａ）はパチンコ機１の正面図、（ｂ）はパチンコ機１に備えられる遊技盤１１の斜視図である。なお、本実施形態では、本発明を遊技機の一例であるパチンコ機に適用する場合について説明するが、これに限らず、例えばスロット機や各種ゲーム機等の他の形態の遊技機に適用してもよい。
【００３３】
図１に示したように、パチンコ機１は、遊技盤１１、表示装置（主演出部）１２、ハンドル１３、上皿１４、下皿１５、スタートチャッカー１６、大当り入賞口１７、可動演出ユニット２０などを備えている。
【００３４】
遊技盤１１は、ハンドル１３によって打ち出された遊技球が移動する領域の背面側に配置された板状部材である。具体的には、パチンコ機１の前面側はガラス板を嵌め込んだガラス枠（図示せず）によって覆われており、ハンドル１３によって打ち出された遊技球は上記ガラス板と遊技盤１１との間の領域を移動する。
【００３５】
表示装置１２は、遊技盤１１の中央部付近における遊技盤１１の裏側に配置された略矩形形状の表示画面を有する表示手段であり、大当り抽選を示す画像や大当りの期待度を示す画像など、各種演出のための画像の表示を行う。具体的には、遊技盤１１の中央部付近には表示画面１２ａの形状に応じた略矩形形状の開口部１１ａが設けられており、パチンコ機１の利用者が開口部１１ａを介して表示画面１２ａを観察できるようになっている。表示装置１２の構成は特に限定されるものではなく、例えば液晶表示装置や有機ＥＬディスプレイなどを用いることができる。
【００３６】
ハンドル１３は、遊技球の発射操作を行うための装置であり、利用者がハンドル１３を捻った状態で保持すると、遊技球が連続発射されるようになっている。上皿１４には、遊技によって獲得した遊技球が貯留され、下皿１５には上皿１４から溢れた遊技球が貯留される。
【００３７】
スタートチャッカー１６には当該ゲートを通過する遊技球を検知する通過検出部１６ａ（後述する図２参照）が設けられており、通過検出部１６ａの検知結果は後述する制御部３０に伝達される。
【００３８】
大当り入賞口１７は、当該大当り入賞口１７を開閉させる開閉処理部１７ａと、大当り入賞口１７に入賞した遊技球の数を計数する入賞計数部１７ｂとを備えている（後述する図２参照）。開閉処理部１７ａおよび入賞計数部１７ｂは後述する制御部３０に接続されており、開閉処理部１７ａの開閉動作は制御部３０によって制御され、入賞計数部１７ｂの計数結果は制御部３０に伝達される。
【００３９】
可動演出ユニット２０は、図１の（ｂ）に示すように、遊技盤１１と表示装置１２との間に配置されており、表示装置１２の表示画面１２ａおよび遊技盤１１の開口部１１ａの形状に応じた略矩形形状を有するレール部２３と、レール部２３に沿って移動可能に備えられた２つの可動演出部２１とを備えている。これら２つの可動演出部２１の構成は互いに略同一なので、本実施形態ではこれら各可動演出部を可動演出部２１として示す。ただし、これら各可動演出部を区別する必要がある場合には第１可動演出部２１および第２可動演出部２１として示す。なお、上記各可動演出部２１の動作は互いに独立して制御可能になっている。また、各可動演出部２１には発光部２１ｅとしての７セグメントディスプレイが備えられている。
【００４０】
図２は、パチンコ機１の制御系の構成を示す説明図である。この図に示すように、パチンコ機は、当該パチンコ機１の各部の動作を制御する制御部３０を備えている。制御部３０は、例えば、ＣＰＵ（Central Processing Unit）等からなり、各種センサの検出結果、ＲＯＭ等の記憶手段（図示せず）に格納されたプログラムや各種データなどに基づいて当該パチンコ機１の各部の動作を制御する。
【００４１】
具体的には、制御部３０には、通過検出部１６ａ、演出情報記憶部４０、開閉処理部１７ａ、入賞計数部１７ｂ、表示装置１２、可動演出部２１・２１、および払出部４１が接続されている。また、制御部３０には、抽選処理部３１、演出制御部３２、表示制御部３３、可動制御部３４・３４、開閉制御部３６、および払出制御部３７が備えられている。なお、上記の２つの可動制御部３４の一方は第１可動演出部２１の動作を制御するためのものであり、他方は第２可動演出部２１の動作を制御するためのものである。これら各可動制御部３４の構成は略同一なので、本実施形態ではこれら各可動制御部を可動制御部３４として示す。ただし、これら各可動制御部３４を区別する必要がある場合には第１可動制御部３４および第２可動制御部３４として示す。
【００４２】
抽選処理部３１は、通過検出部１６ａによって遊技球がスタートチャッカー１６を通過したことが検知されたときに、抽選処理（大当り抽選および演出パターン抽選）を行う。抽選処理部３１による抽選結果は、演出制御部３２に伝達される。
【００４３】
演出制御部３２は、抽選処理部３１の抽選結果（演出パターン抽選結果）に応じた演出情報を演出情報記憶部４０から読み出し、読み出した演出情報に応じて表示制御部３３および各可動制御部３４・３４の動作を互いに連動させて制御する。演出情報記憶部４０の構成は特に限定されるものではなく、従来から公知の記憶手段を用いることができる。なお、本実施形態では、大当り抽選に当選した場合および落選した場合のそれぞれについて複数の演出パターンを示す演出情報が演出情報記憶部４０に予め記憶されている。
【００４４】
また、演出制御部３２は、抽選処理部３１の大当り抽選処理によって大当りに当選した場合に、演出情報に応じた演出処理と連動したタイミングで開閉処理部１７ａによる大当り入賞口１７の開閉動作を開始させるための信号を開閉制御部３８に送る。
【００４５】
表示制御部３３は、演出制御部３２の指示に応じた画像を表示装置１２に表示させる。
【００４６】
可動制御部３４・３４は、演出制御部３２の指示に応じて可動演出部２１・２１の動作を制御する。
【００４７】
具体的には、可動演出部２１は、移動駆動部（駆動手段）２１ａ、位置検出部２１ｂ、回転駆動部２１ｃ、回転検出部２１ｄ、および発光部２１ｅを備えている。また、可動制御部３４は、移動制御部３４ａ、回転制御部３４ｂ、および発光制御部３４ｃを備えている。
【００４８】
移動駆動部２１ａは、可動演出部２１の外部（パチンコ機１の電源供給部）から供給される電力を、可動演出部２１をレール部２３に沿って移動させるための駆動力に変換するモータである。位置検出部２１ｂは、可動演出部２１のレール部２３上における位置を検出する検出手段である。なお、本実施形態では、レール部２３における可動演出部２１の移動経路に沿って多数の溝（切欠部）が形成されており、位置検出部２１ｂは可動演出部２１が移動時に横切った溝の数を、光センサ等を用いて計数することで可動演出部２１のレール部２３上の基準位置からの移動距離を算出し、可動演出部２１のレール部２３上における位置を検出する。ただし、位置検出部２１ｂの構成は特に限定されるものではなく、可動演出部２１のレール部２３上における位置を検出可能な構成であればよい。
【００４９】
移動制御部３４ａは、演出制御部３２からの指示と位置検出部２１ｂによる可動演出部２１の位置検出結果とに基づいて移動駆動部２１ａの動作を制御し、可動演出部２１を所望の移動方向および移動速度で所望の位置まで移動させる。
【００５０】
回転駆動部２１ｃは、可動演出部２１の外部から供給される電力を用いて発光部２１ｅを回転させるための駆動力を生成するモータである。回転検出部２１ｄは、発光部２１ｅの回転角度を検出する検出手段である。本実施形態では、回転駆動部２１ｃとしてステッピングモータを用いている。また、回転検出部２１ｄは、発光部２１ｅが基準位置（基準角度）に配置されていることを検出するための光センサを備えており、回転駆動部２１ｃの駆動パルス数を検出することにより基準位置からの回転角度を検出する。なお、回転駆動部２１ｃおよび回転検出部２１ｄの構成は特に限定されるものではなく、発光部２１ｅを演出制御部３２の指示に応じて回転させる機能と、発光部２１ｅの回転角度を検出して演出制御部３２に伝達する機能とを実行可能な構成であればよい。
【００５１】
発光部２１ｅは、ＬＥＤ（発光ダイオード）等の光源を備えており、発光制御部３４ｃからの指示に応じた発光色、発光強度で光源を発光させる。発光制御部３４ｃは、演出制御部３２からの指示に応じて発光部２１ｅの動作を制御する。なお、本実施形態では、発光部２１ｅとして図１に示したように７セグメントディスプレイを備えており、各セグメントに対応する光源の発光状態を個別に制御することにより、０から９までの数字、アルファベット、記号などを表示させることができるようになっている。ただし、発光部２１ｅの構成はこれに限るものではない。
【００５２】
なお、本実施形態では、可動制御部３４・３４が制御部３０内に備えられるものとしているが、これに限らず、例えば可動制御部３４・３４を可動演出部２１・２１に設け、可動制御部３４・３４が制御部３０から伝達される制御信号に基づいて可動演出部２１・１２の動作を制御するようにしてもよい。
【００５３】
開閉制御部３６は、抽選処理部３１の抽選処理によって大当りに当選した場合に、演出制御部３２からの指示に応じたタイミングで開閉処理部１７ａの開閉動作を開始させる。開閉制御部３６は、予め設定された大当り時の開閉ルールに基づいて開閉処理部１７ａの動作を制御し、大当り入賞口１７の開閉を行わせる。
【００５４】
払出制御部３９は、入賞計数部１７ｂによって計数された大当り入賞口１７に入賞した遊技球の数に基づいて払出部４１の動作を制御し、パチンコ機１の上皿１４または下皿１５に入賞した遊技球の数に応じた遊技球の払出処理を行わせる。また、払出制御部３９は、入賞計数部１７ｂの計数結果を演出制御部３２に伝達する。これにより、演出制御部３２は、大当り期間中に、入賞計数部１７ｂの計数結果に応じて表示装置１２、第１可動演出部２１、および第２可動演出部２１の動作を大当り期間用の所定の演出ルールに基づいて制御する。
【００５５】
（１−２．可動演出ユニット２０の構成）
図３は可動演出ユニット２０の前面側の構成を示す説明図であり、図４は可動演出ユニット２０の背面側の構成を示す説明図である。また、図５は可動演出ユニット２０における可動演出部２１とレール部２３との当接部の構成を示す説明図である。
【００５６】
図３の（ｂ）に示したように、レール部２３は４つの直線部２３ａ〜２３ｄと４つの曲線部２３ｅ〜２３ｈとを交互に組み合わせ、２つの直線部の端部同士を曲線部によって連結してなる略矩形形状の枠状の部材であり、可動演出部２１はこのレール部２３に沿って遊技盤１１の盤面（利用者側の面）に略平行な面に沿った移動経路上を移動する。
【００５７】
レール部２３の前面側には、略矩形形状の周方向に沿って一周するように４本の電極部（配線）からなる電極部（電気配線部）５１が形成されている。これら４本の電極部のうち２本は可動演出部２１・２１に電力を供給するための電力供給用電極部（電源配線部）５１ａ，５１ｂであり、残りの２本は制御部３０が可動演出部２１・２１との間で通信を行うための通信用電極部（通信配線部）５１ｃ，５１ｄである。なお、電極部５１ａ，５１ｂ，５１ｃ，５１ｄの材質は導電性を有する材料であれば特に限定されるものではないが、例えば、金（Ａｕ）、銀（Ａｇ）、白金（Ｐｔ）、パラジウム（Ｐｄ）、リジウム（Ｒｈ）、イリジウム（Ｉｒ）、ルテニウム（Ｒｕ）、およびオスチウム（Ｏｓ）等の貴金属、あるいはリン青銅等の銅合金などを用いることができる。なお、本実施形態では４本の電極が備えられている構成について説明するが、電極数および各電極の配置順序はこれに限るものではない。
【００５８】
また、レール部２３における内径側の面には、レール部２３の一部を周方向に垂直な方向に切り欠かいた多数の溝部（切欠部）５２がレール部２３の周方向に沿って等間隔で配置されている。
【００５９】
また、図３〜図５に示したように、レール部２３の背面側には、可動演出部２１の移動経路が成す平面に略垂直な方向に突出するように形成された、レールギア５３、内径側レール部（第１レール部）５４、外径側レール部（第２レール部）５５、およびガイドレール部（移動規制手段）５６が、レール部２３の周方向に沿って一周するように設けられている。なお、本実施形態ではガイドレール部５６をレール部２３の周方向に沿って一周するように（曲線部および直線部の両方に）設けているが、これに限らず、例えば、曲線部にのみ設けてもよく、曲線部と直線部における曲線部との接続部の近傍とに設けてもよい。また、本実施形態では、電極部５１がレール部２３の前面側に配置され、レールギア５３、内径側レール部５４、外径側レール部５５、およびガイドレール部５６がレール部２３の背面側に配置された構成について説明するが、これに限らず、例えば、電極部５１がレール部２３の背面側に配置され、レールギア（ラック、歯竿）５３、内径側レール部５４、外径側レール部５５、およびガイドレール部５６がレール部２３の前面側に配置されていてもよい。
【００６０】
また、可動演出部２１・２１は、前面カバー部７１、接点基板部７２、接点ユニット７３、基台部７４、背面カバー部７５、移動駆動部２１ａ、回転駆動部２１ｃ、モータギア６７、ピニオンギア（駆動ローラ）６６、第１ガイドローラ６３、第２ガイドローラ６４、第３ガイドローラ６５、および位置検出部２１ｂを備えている。
【００６１】
モータギア６７は回転駆動部２１ｃに接続されており、ピニオンギア６６はモータギア６７およびレールギア５３に噛合うように配置されている。これにより、回転駆動部２１ｃの回転駆動力がモータギア６７を介してピニオンギア６６に伝達され、レールギア５３に噛み合わされたピニオンギア６６が回転することにより、ピニオンギア６６の回転運動が可動演出部２１をレール部２３に沿って移動させる運動に変換され、可動演出部２１がレール部２３の周方向に沿って移動する。なお、回転駆動部２１ｃは時計回りおよび反時計回りの両方向に回転可能であり、可動演出部２１は回転駆動部２１ｃの回転方向に応じてレール部２３の周方向に沿って時計回りおよび反時計回りの両方向に移動可能になっている。
【００６２】
第１ガイドローラ６３はレール部２３（内径側レール部５４）の一方の面（法線方向がレール部２３の内側を向く面）に当接するように配置されており、第２ガイドローラ６４および第３ガイドローラ６５はレール部２３（外径側レール部５５）の他方の面（法線方向がレール部２３の外側を向く面）に当接するように配置されている。また、第１〜第３ガイドローラ６３〜６５は、背面カバー部７５に設けられた軸受部（図示せず）に回転可能に軸支されており、本実施形態ではこれら各ガイドローラの軸間距離は可動演出部２１の移動状態にかかわらず略一定に固定されている。また、第２ガイドローラ６４と第３ガイドローラ６５とは、第１ガイドローラ６３の中心とピニオンギア６６の中心とを通る直線を軸として互いに線対称に配置されている。
【００６３】
また、ガイドレール部５６はレール部２３（外径側レール部５５）の上記他方の面に間隔を隔てて対向するように配置されており、第２ガイドローラ６４および第３ガイドローラ６５は外径側レール部５５とガイドレール部５６との間に形成される溝状の領域をレール部２３の周方向に沿って移動可能に収容されている。なお、外径側レール部５５およびガイドレール部５６は、レールギア５３とピニオンギア６６との当接部よりもパチンコ機１の前面側（遊技盤１１側）に設けられている。これにより、レールギア５３およびピニオンギア６６の動作は外径側レール部５５およびガイドレール部５６の影響を受けないようになっている。第１〜第３ガイドローラ６３〜６５とレール部２３との当接部（可動演出部２１とレール部２３との当接部）の詳細については後述する。
【００６４】
図４に示すように、前面カバー部７１の内部には、接点基板部７２および接点ユニット７３が収容されている。また、接点ユニット７３には、接点部（摺動接点部）８１ａ・８１ｂ、８２ａ・８２ｂ，８３ａ・８３ｂ，８４ａ・８４ｂが設けられており、これら各接点部はレール部２３に設けられた電極部５１の４本の電極部のうち当該接点部に対応する電極部に当接するように配置されている。具体的には、接点部（電源用接点部）８１ａ・８１ｂは電力供給用電極部５１ａと当接し、接点部（電源用接点部）８２ａ・８２ｂは電力供給用電極部５１ｂと当接し、接点部（通信用接点部）８３ａ・８３ｂは通信用電極部５１ｃと当接し、接点部（通信用接点部）８４ａ・８４ｂは通信用電極部５１ｄと当接している。上記各接点部の材質は導電性を有する材料であれば特に限定されるものではなく、例えば、電極部と同様の材質を用いることができる。
【００６５】
なお、図４に示したように、接点部８１ａ・８１ｂは、可動演出部２１の移動方向に沿って延伸する形状を有する板ばね部材からなり、延伸方向の一端側が接点ユニット７３に固定され、他端側がレール部２３の電極部５１に当接するように配置されている。また、接点部８１ａ・８１ｂは、上記他端側が互いに対向するように配置されている。また、接点部８１ａ・８１ｂにおける上記他端側は、当該接点部における上記一端側よりも延伸方向に垂直な方向の幅が狭くなっている（他端側は一端側よりも先細になっている）。接点部８２ａ・８２ｂ、８３ａ・８３ｂ、および８３ｄ・８３ｄの構成についても接点部８１ａ・８１ｂと略同様である。これにより、可動演出部２１が時計回りおよび反時計回りのいずれの方向に移動する場合であっても、上記各接点部が、当該接点部を構成する板ばねの弾性力により当該接点部に対応する配線に押し付けられて接触した状態を維持したまま当該配線に対して摺動するようになっている。
【００６６】
位置検出部２１ｂはレール部２３の溝部５２に対向する位置に備えられており、可動演出部２１がレール部２３に沿って移動したときに横切った溝部５２の溝の数を計数する。
【００６７】
回転駆動部２１ｃは基台部７４に固定されており、発光部（発光部材、可動部材、被駆動部）２１ｅは回転駆動部２１ｃに対して回転可能に取り付けられている。
【００６８】
（１−３．可動演出部２１とレール部２３との当接部の詳細）
図６は可動演出部２１とレール部２３との関係を示す説明図であり、可動演出部２１が直線部を移動中の状態を示している。この図に示すように、可動演出部２１がレール部２３の直線部を移動中の状態では、第１ガイドローラ６３が内径側レール部５４に当接し、第２ガイドローラ６４および第３ガイドローラ６５が外径側レール部５５に当接し、ピニオンギア６６がレールギア５３と当接する。なお、直線部では外径側レール部５５とガイドレール部５６との間隔ｄ１は第２ガイドローラ６４および第３ガイドローラ６５の外径よりも十分に大きく設定されており、第２ガイドローラ６４および第３ガイドローラ６５は直線部では外径側レール部５５に当接する一方、ガイドレール部５６とは離間している。
【００６９】
これにより、移動駆動部２１ａが回転駆動されると、モータギア６７およびピニオンギア６６が回転し、可動演出部２１がレール部２３の直線部に沿って移動する。この際、可動演出部２１の姿勢は、第１ガイドローラ６３と第２ガイドローラ６４、第３ガイドローラ６５、およびピニオンギア６６との間でレール部２３が挟み込まれることにより（第１ガイドローラ６３と第２、第３ガイドローラ６４，６５とによって内径側レール部５４と外径側レール部５５との間が挟み込まれ、第１ガイドローラ６３とピニオンギア６６とによって内径側レール部５４とレールギア５３との間が挟み込まれることにより）、安定して維持される。その結果、図７に示すように、各接点部８１ａ・８１ｂ，８２ａ・８２ｂ，８２ａ・８３ｂ，８４ａ・８４ｂと当該各接点部に対応する電極部５１ａ，５１ｂ，５１ｃ，５１ｄとの当接状態を維持したまま可動演出部２１を移動させることができる。
【００７０】
図８は可動演出部２１とレール部２３との関係を示す説明図であり、可動演出部２１が直線部の終端部（直線部と曲線部との接続部）に到達したときの状態を示している。この図に示すように、可動演出部２１がレール部２３の直線部から曲線部に移行するときには、第１ガイドローラ６３が内径側レール部５４における直線部と曲線部との接続部５４ａに到達するのと略同時に、第２ガイドローラ６４および第３ガイドローラ６５のうちの移動方向側の方（図８の例では第２ガイドローラ６４）が外径側レール部５５における直線部と曲線部との接続部５５ａに到達するとともに、ガイドレール部５６に当接する。
【００７１】
すなわち、外径側レール部５５の直線部は、当該外径側レール部５５における内径側レール部５４の直線部と曲線部との接続部５４ａに対向する位置よりも曲線部側に延伸しており、外径側レール部５５における直線部と曲線部との接続部５５ａは接続部５４ａよりも曲線部側に配置されている。また、曲線部では、外径側レール部５５の曲率中心と、ガイドレール部５６の曲率中心とが共通になっており、第１ガイドローラ６３が内径側レール部５４における直線部と曲線部との接続部５４ａに到達するのと略同時に、第２ガイドローラ６４および第３ガイドローラ６５のうちの移動方向側の方（図８の例では第２ガイドローラ６４）が外径側レール部５５における直線部と曲線部との接続部５５ａに到達するとともに、ガイドレール部５６に当接する。
【００７２】
また、ピニオンギア６６はレールギア５３との当接状態を維持しており、移動駆動部２１ａが回転駆動されることによりモータギア６７およびピニオンギア６６が回転して可動演出部２１がレール部２３に沿って移動する。
【００７３】
図９は可動演出部２１とレール部２３との関係を示す説明図であり、可動演出部２１が直線部から曲線部に移行するときの状態を示している。この図に示すように、第１ガイドローラ６３が内径側レール部５４における直線部と曲線部との接続部５４ａを通過して曲線部に移行すると、第２ガイドローラ６４および第３ガイドローラ６５のうちの移動方向側の方（図９の例では第２ガイドローラ６４）も外径側レール部５５における直線部と曲線部との接続部５５ａを通過して曲線部に移行する。
【００７４】
曲線部では、外径側レール部５５とガイドレール部５６との間隔ｄ２は、第２ガイドローラ６４および第３ガイドローラ６５の外径に応じた間隔に設定されている。すなわち、曲線部における外径側レール部５５とガイドレール部５６との間隔ｄ２は、第２ガイドローラ６４および第３ガイドローラ６５の外径と同じ、または外径側レール部５５とガイドレール部５６との間の領域を第２ガイドローラ６４および第３ガイドローラ６５が移動可能な程度に第２ガイドローラ６４および第３ガイドローラ６５の外径よりもわずかに大きく設定されている。
【００７５】
また、上述したように、曲線部では、外径側レール部５５とガイドレール部５６とは、互いの曲率中心が共通になるように配置されている。
【００７６】
これにより、曲線部では、第２ガイドローラ６４および第３ガイドローラ６は、外径側レール部５５およびガイドレール部５６に沿って、これら両部材の曲率中心を中心とする回転軌道上を移動し（回転運動を行い）、この回転軌道に沿った移動方向に対して垂直な方向への移動は外径側レール部５５およびガイドレール部５６によって規制される。
【００７７】
一方、直線部では、外径側レール部５５とガイドレール部５６との間隔ｄ１は、第２ガイドローラ６４および第３ガイドローラ６５の外径よりも十分に広く設定されている。
【００７８】
このため、第２ガイドローラ６４および第３ガイドローラ６５のうちの移動方向側の方（図９の例では第２ガイドローラ６４）が直線部から曲線部に移行した直後には、図９に示したように、第２ガイドローラ６４および第３ガイドローラ６５のうちの移動方向とは反対側の方（図９の例では第３ガイドローラ６５）は直線部に位置しており、第１ガイドローラ６３と第２ガイドローラ６４とによって可動演出部２１の姿勢が規定される結果、外径側レール部５５から離間する。
【００７９】
これにより、可動演出部２１が直線部から曲線部へ移行するときには、第１ガイドローラ６３と、第２ガイドローラ６４および第３ガイドローラ６５のうちの移動方向側の方（図９の例では第２ガイドローラ６４）と、ピニオンギア６６とによって可動演出部２１の向き（姿勢）を規定し、可動演出部２１の姿勢を安定させた状態で移動させることができる。その結果、図１０に示すように、可動演出部２１が直線部と曲線部との間を移行するときであっても、各接点部８１ａ・８１ｂ，８２ａ・８２ｂ，８２ａ・８３ｂ，８４ａ・８４ｂと当該各接点部に対応する電極部５１ａ，５１ｂ，５１ｃ，５１ｄとの当接状態を維持したまま可動演出部２１を移動させることができる。
【００８０】
なお、可動演出部２１が直線部と曲線部との間を移行するときの、第２ガイドローラ６４および第３ガイドローラ６５のうちの移動方向側の方の軌跡を規定しない場合、可動演出部２１の姿勢が不安定になり、図１１に示す比較例のように接点部と当該接点部に対応する電極部との接触状態が不安定になる。その結果、可動演出部２１への電力供給や信号伝達が途切れてしまう場合がある。
【００８１】
図１２は、可動演出部２１とレール部２３との関係を示す説明図であり、可動演出部２１が曲線部を移動中の状態を示している。この図に示すように、第１ガイドローラ６３、第２ガイドローラ６４、および第３ガイドローラ６５がいずれも曲線部に移行すると、第１ガイドローラ６３が内径側レール部５４に当接し、第２ガイドローラ６４および第３ガイドローラ６５が外径側レール部５５に当接し、ピニオンギア６６がレールギア５３と当接する。
【００８２】
これにより、移動駆動部２１ａが回転駆動されると、モータギア６７およびピニオンギア６６が回転し、可動演出部２１がレール部２３の曲線部に沿って移動する。この際、可動演出部２１の姿勢は、第１ガイドローラ６３と第２ガイドローラ６４、第３ガイドローラ６５、およびピニオンギア６６との間でレール部２３の一部（内径側レール部５４と外径側レール部５５との間、および内径側レール部５４とレールギア５３との間）が挟み込まれ、かつ第２ガイドローラ６４および第３ガイドローラ６５の移動方向に垂直な方向への移動が外径側レール部５５およびガイドレール部５６によって規制されることによって安定して維持される。その結果、図１３に示すように、各接点部８１ａ・８１ｂ，８２ａ・８２ｂ，８２ａ・８３ｂ，８４ａ・８４ｂと当該各接点部に対応する電極部５１ａ，５１ｂ，５１ｃ，５１ｄとの当接状態を維持したまま可動演出部２１を移動させることができる。
【００８３】
その後、可動演出部２１が曲線部から直線部へ移動する場合には、上述した直線部から曲線部への移動時と逆の状態になる。
【００８４】
すなわち、可動演出部２１がレール部２３の曲線部から直線部に移行するときには、第１ガイドローラ６３が内径側レール部５４における曲線部と直線部との接続部５４ａに到達するのと略同時に、第２ガイドローラ６４および第３ガイドローラ６５のうちの移動方向とは反対側の方が外径側レール部５５における曲線部と直線部との接続部５５ａに到達する。
【００８５】
この際、第２ガイドローラ６４および第３ガイドローラ６５のうちの移動方向側の方はすでに直線部に移行しており、図１４に示すように、第２ガイドローラ６４および第３ガイドローラ６５のうち移動方向側の方は外径側レール部５５から離間し、移動方向とは反対側の方は外径側レール部５５およびガイドレール部５６によって移動方向に垂直な方向への移動が規制され、外径側レール部５５に当接した状態が維持される。
【００８６】
これにより、可動演出部２１が曲線部から直線部へ移行するときには、第１ガイドローラ６３と、第２ガイドローラ６４および第３ガイドローラ６５のうちの移動方向と反対側の方（図１４の例では第３ガイドローラ６５）と、ピニオンギア６６とによって可動演出部２１の向き（姿勢）を規定し、可動演出部２１の姿勢を安定させた状態で移動させることができる。その結果、可動演出部２１が曲線部から直線部に移行するときであっても、各接点部８１ａ・８１ｂ，８２ａ・８２ｂ，８２ａ・８３ｂ，８４ａ・８４ｂと当該各接点部に対応する電極部５１ａ，５１ｂ，５１ｃ，５１ｄとの当接状態を維持したまま可動演出部２１を移動させることができる。
【００８７】
その後、第１ガイドローラ６３が内径側レール部５４における曲線部と直線部との接続部５４ａを通過し、第２ガイドローラ６４および第３ガイドローラ６５の両方が外径側レール部５５における曲線部と直線部との接続部５５ａを通過して可動演出部２１が直線部に入ると、図１４に示すように、第２ガイドローラ６４および第３ガイドローラ６５が外径側レール部５５に当接する。
【００８８】
これにより、可動演出部２１の姿勢は、第１ガイドローラ６３と第２ガイドローラ６４、第３ガイドローラ６５、およびピニオンギア６６との間でレール部２３が挟み込まれることにより、安定して維持される。その結果、図１５に示すように、各接点部８１ａ・８１ｂ，８２ａ・８２ｂ，８２ａ・８３ｂ，８４ａ・８４ｂと当該各接点部に対応する電極部５１ａ，５１ｂ，５１ｃ，５１ｄとの当接状態を維持したまま可動演出部２１を移動させることができる。
【００８９】
（１−４．まとめ）
以上のように、本実施形態にかかる可動演出ユニット２０は、レール部２３の一方の面に当接する第１ガイドローラ６３と、レール部２３の他方の面に当接する第２ガイドローラ６４およびピニオンギア（駆動ローラ）６６とを備え、ピニオンギア６６は、レール部２３を介して第１ガイドローラ６３に対向する位置に配置され、第２ガイドローラ６４は第１ガイドローラ６３に対してレール部２３を介して対向する位置よりも移動経路に沿った第１方向側に配置されており、ガイドレール部５６は、曲線部における上記他方の面に対向する位置に配置され、かつ上記他方の面と共通の曲率中心を有する形状であり、可動演出部２１は、直線部に沿って第１方向に移動することにより第１ガイドローラ６３がレール部２３の上記一方の面における直線部と曲線部との接続部５４ａに到達したときに、第２ガイドローラ６４がガイドレール部５６に当接し、曲線部における上記他方の面およびガイドレール部５６に沿って上記曲率中心を中心とする回転運動を開始する。
【００９０】
これにより、可動演出部２１が直線部に沿って第１方向に移動し、直線部と曲線部との接続部５４ａに到達したときに、第２ガイドローラ６４がガイドレール部５６に当接して曲線部における上記他方の面およびガイドレール部に沿って当該曲線部および当該ガイドレール部５６の曲率中心を中心とする回転運動を開始する。これにより、可動演出部２１が直線部と曲線部との間を移動する場合であっても、可動演出部２１を、上記曲率中心を中心とする円軌道に沿って移動させることができ、可動演出部２１の移動時の姿勢を安定させることができる。
【００９１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９２】
本発明は、遊技機に備えられる可動演出ユニットに利用できる。
【符号の説明】
【００９３】
１  パチンコ機（遊技機）
１１  遊技盤
１２  表示装置（主演出部）
２０  可動演出ユニット
２１  可動演出部（第１可動演出部、第２可動演出部）
２１ａ  移動駆動部（駆動手段）
２３  レール部
２３ａ〜２３ｄ  直線部
２３ｅ〜２３ｈ  曲線部
３０  制御部
５１  電極部（電気配線部）
５１ａ，５１ｂ  電力供給用電極部（電源配線部）
５１ｃ，５１ｄ  通信用電極部（通信配線部）
５２  溝部
５３  レールギア（ラック）
５４  内径側レール部（第１レール部）
５４ａ  接続部
５５  外径側レール部（第２レール部）
５５ａ  接続部
５６  ガイドレール部（移動規制手段）
６３  第１ガイドローラ
６４  第２ガイドローラ
６５  第３ガイドローラ
６６  ピニオンギア（駆動ローラ）
６７  モータギア
７１  前面カバー部
７２  接点基板部
７３  接点ユニット
８１ａ，８１ｂ，８２ａ，８２ｂ  接点部（摺動接点部、電源用接点部）
８３ａ，８３ｂ，８４ａ，８４ｂ  接点部（摺動接点部、通信用接点部）
【図１】
2014188228.tif 000003
【図２】
2014188228.tif 000004
【図３】
2014188228.tif 000005
【図４】
2014188228.tif 000006
【図５】
2014188228.tif 000007
【図６】
2014188228.tif 000008
【図７】
2014188228.tif 000009
【図８】
2014188228.tif 000010
【図９】
2014188228.tif 000011
【図１０】
2014188228.tif 000012
【図１１】
2014188228.tif 000013
【図１２】
2014188228.tif 000014
【図１３】
2014188228.tif 000015
【図１４】
2014188228.tif 000016
【図１５】
2014188228.tif 000017
【図１６】
2014188228.tif 000018